(57)【要約】【課題】インサートブームに対するペンダントロープの固定作業及びその解除作業を、効率よく行うことができるようにする。【解決手段】インサートブーム１１の背面側の長手方向端部に位置する水平連結材１５の上に、ピン孔１６を有する一対のブラケット１７を、ブーム左右幅方向に所要間隔を隔てて配置する。両ブラケット１７を、Ｕボルト２０を用いて水平連結材１５に取り付ける。両ブラケット１７間に、ペンダントロープ４の端のピン継手具１２ａを配し、ピン継手具１２ａのピン孔１９に、ブラケット１７のピン孔１６を通して固定ピン１８を差し通す。固定ピン１８の両端部を、ブラケット１７の外側で抜け止め保持させる。【選択図】　　　　図１
2004035236.tif 000002
【特許請求の範囲】
【請求項１】
インナーブームとアウターブームの間に着脱可能に配置するようにしてあるインサートブームの背面側の長手方向端部位置におけるブーム左右幅方向に固定ピンを備え、ペンダントロープ端のピン継手具に上記固定ピンを差し通してペンダントロープを固定できるようにした構成を有することを特徴とする移動式クレーンのペンダントロープ固定装置。
【請求項２】
固定ピンを、ブーム左右幅方向に所要間隔を隔てて相対峙するように取り付けたブラケットに支持させて備えた請求項１記載の移動式クレーンのペンダントロープ固定装置。
【請求項３】
ブラケットを、インサートブームを構成する水平連結材にＵボルトで取り付けるようにした請求項２記載の移動式クレーンのペンダントロープ固定装置。
【請求項４】
固定ピンの抜け止めとして、固定ピンの両端部にリングピンを差し込むようにした請求項１、２又は３記載の移動式クレーンのペンダントロープ固定装置。
【発明の詳細な説明】
【０００１】
【発明の属する技術分野】
本発明は移動式クレーンで用いられるペンダントロープをクレーン輸送時にインサートブームに固定できるようにしたペンダントロープ固定装置に関するものである。
【０００２】
【従来の技術】
クローラクレーンの如き移動式クレーンは、図３にその一例の概略を示す如く、下部走行体１上に、主巻ドラム、補巻ドラム、起伏ドラム（いずれも図示せず）を装備させた上部旋回体であるクレーン本体２を搭載し、該クレーン本体２上に、ブーム３の基端部を起伏可能に取り付け、該ブーム３の先端部にペンダントロープ４の一端を取り付けると共に、該ペンダントロープ４の他端をイコライザー５に取り付け、且つ該イコライザー５とクレーン本体２上に立設させたＡフレーム６のヨーク７との間に、起伏ドラムから繰り出された起伏ロープ８を掛け回し、該起伏ロープ８の巻き取り、繰り出しによってブーム３を起伏できるようにしてある。
【０００３】
上記の如き移動式クレーンでは、全体の高さや長さを抑えてトレーラーにより輸送することができるようにするために、通常、ブーム３を、基端側のインナーブーム９と先端側のアウターブーム１０との間に複数段（単段の場合もある）のインサートブーム（中継ぎブーム）１１をピン継手１２により着脱可能に配置してなる構成として、輸送時に、アウターブーム１０とインサートブーム１１を分解できるようにしてある。又、これに伴い、ペンダントロープ４も、各段のインサートブーム１１の長さに合せた長さのものをピン継手１３により順次着脱可能に連結して用いるようにしてあり、クレーン輸送時には、分解した各段のインサートブーム１１の背面（上面）にそれぞれペンダントロープ４を針金等により固縛して固定するようにしてある。
【０００４】
【発明が解決しようとする課題】
ところが、インサートブーム１１に針金を用いてペンダントロープ４を固定する場合、充分な強度を有する針金を使用する必要があるため、固縛作業及び撤去作業に多大な労力を要すると共に、インサートブーム１１上における足場の悪い場所での作業となることから、作業効率が悪く、しかも、固縛の仕方が不充分であると、輸送の途中で固縛が外れてペンダントロープ４が落下するおそれがあり、更に、針金による固縛では、インサートブーム１１の塗装に傷が付きやすいという問題もある。
【０００５】
そこで、本発明は、インサートブームに対するペンダントロープの固定作業及びその解除作業を、多大な労力を要することなく効率よく行うことができるようにし、又、インサートブームの塗装に傷を付けることがないようにしようとするものである。
【０００６】
【課題を解決するための手段】
本発明は、上記課題を解決するために、インナーブームとアウターブームの間に着脱可能に配置するようにしてあるインサートブームの背面側の長手方向端部位置におけるブーム左右幅方向に固定ピンを備え、ペンダントロープ端のピン継手具に上記固定ピンを差し通してペンダントロープを固定できるようにした構成とする。
【０００７】
ペンダントロープ端のピン継手具に固定ピンを差し通すだけでペンダントロープを容易に固定でき、又、固定ピンを抜き取るだけでペンダントロープを容易に取り外すことができる。
【０００８】
又、固定ピンを、ブーム左右幅方向に所要間隔を隔てて相対峙するように取り付けたブラケットに支持させて備えた構成とすることにより、装置構成を簡単なものとすることができる。
【０００９】
更に、ブラケットを、インサートブームを構成する水平連結材にＵボルトで取り付けるようにした構成とすることにより、既存のクレーンに容易に適用でき、任意の位置に取り付けることができる。
【００１０】
更に又、固定ピンの抜け止めとして、固定ピンの両端部にリングピンを差し込むようにした構成とすることにより、固定ピンの抜く方向を選ばずに柔軟に作業を行うことができる。
【００１１】
【発明の実施の形態】
以下、本発明の実施の形態を図面を参照して説明する。
【００１２】
図１（イ）（ロ）（ハ）は本発明の実施の一形態を示すもので、図３に示したと同様な構成としてある移動式クレーンにおいて、インナーブームとアウターブームとの間に着脱可能に配置するようにしてあるインサートブーム１１の背面部に、ペンダントロープ４を、ロープ端のピン継手具１３ａ，１３ｂを利用して固定できるようにする。
【００１３】
詳述すると、インサートブーム１１は、長手方向に延びる４本の主材１４とこれらを連結する連結材１５とによる骨組構造として、長手方向の一端部と他端部に、図３に示すピン継手１２となる二又状をなす凹型のピン継手具１２ａとプレート状をなす凸型のピン継手具１２ｂを取り付けて、該ピン継手具１２ａ，１２ｂを、隣接するブームの対応するピン継手具に係合させて継手ピンを差し込むことにより連結できるようにしてあり、一方、ペンダントロープ４は、インサートブーム１１の長さと対応する長さを有し、一端と他端に、図３に示すピン継手１３となる二又状をなす凹型のピン継手具１３ａとプレート状をなす凸型のピン継手具１３ｂを取り付けて、該ピン継手具１３ａ，１３ｂを隣接するペンダントロープ４等の対応するピン継手具に係合させて継手ピンを差し込むことにより連結できるようにしてある。
【００１４】
上記構成において、ペンダントロープ４の一端のピン継手具１３ａの部分について図１（ロ）（ハ）に拡大して示す如く、インサートブーム１１の背面側の長手方向一端部に位置する水平連結材１５の上に、ピン孔１６を有するブラケット１７を、上記水平連結材１５が延在する方向となるブーム左右幅方向に所要間隔を隔てて相対峙するように取り付け、且つ該両ブラケット１７のピン孔１６を貫通させて両端部を抜け止め保持できるようにした固定ピン１８を備えてなり、上記両ブラケット１７間にペンダントロープ４のピン継手具１３ａを配置して、該ピン継手具１３ａのピン孔１９に上記固定ピン１８を差し通すことによりペンダントロープ４を固定できるようにする。
【００１５】
上記ブラケット１７は、下端部側をＬ字状に折り曲げたベース部１７ａとし、該ベース部１７ａを水平連結材１５の上に置いて、水平連結材１５の下側から係合させたＵボルト２０の両端部をベース部１７ａに設けておいた貫通孔を通し、該Ｕボルト２０の両端部にナット２１を螺合させることにより、水平連結材１５に取り付けるようにしてある。又、上記固定ピン１８は、相対峙するブラケット１７の外側へ突出する個所に、径方向に貫通する孔２２を設け、該孔２２にリングピン２３を差し込むことにより、ブラケット１７に抜け止め保持されるようにしてある。
【００１６】
なお、ペンダントロープ４の他端のピン継手具１３ｂを固定する部分についても同様な構成としてある。２４はインサートブーム１１の背面端部位置に設けた足場板、２５はインサートブーム１１の背面の長手方向全長に設けた歩み板を示す。
【００１７】
移動式クレーンをトレーラーにより輸送する場合は、トレーラー上にインサートブーム１１を載置した後、長手方向両端部に位置する各ブラケット１７から固定ピン１８をそれぞれ抜き取った状態として、インサートブーム１１の背面上にペンダントロープ４を置き、一端のピン継手具１３ａを長手方向一端部に位置するブラケット１７間に位置させてから、抜き取っておいた固定ピン１８を、相対峙する一方のブラケット１７のピン孔１６、ピン継手具１３ａのピン孔１９、相対峙する他方のブラケット１７のピン孔１９に順次差し通し、しかる後、該固定ピン１８の両端部の孔２２にリングピン２３を差し込んで抜け止め保持させるようにする。又、同様に、ペンダントロープ４の他端のピン継手具１３ｂをインサートブーム１１の長手方向他端部に位置するブラケット１７に固定ピン１８で固定する。
【００１８】
移動式クレーンを輸送した後、組み立てる場合は、固定ピン１８からリングピン２３を取り外して、固定ピン１８をブラケット１７から抜き取るようにすれば、ペンダントロープ４の固定を容易に解除することができる。この際、リングピン２３は固定ピン１８の両端部に差し込んであるが、一方のリングピン２３を取り外せばブラケット１７から固定ピン１８を抜き取ることができるので、固定ピン１８を抜き取る方向を選ばずに柔軟に作業を行うことができる。
【００１９】
このように、インサートブーム１１に対するペンダントロープ４の固定作業及びその解除作業を、腕力や工具を用いることなく固定ピン１８の抜き差しにより行うことができるので、足場板２４や歩み板２５上での作業であっても、多大な労力を要することなく簡単に効率よく行うことができる。又、従来のように針金により固縛しないことから、固縛が外れてペンダントロープ４が落下したり、インサートブームの塗装を傷付けてしまうようなこともない。更に、固定ピン１８を差し通して保持するようにしたブラケット１７はＵボルト２０によって水平連結材１５に取り付けるようにしたことから、既存のクレーンに対しても容易に採用できるだけでなく、足場板２４や歩み板２５の配置状況に応じて任意の位置に取り付けたり、移動したり、不要になったときには簡単に撤去することができて有利である。
【００２０】
次に、図２はペンダントロープ４の別の固定要領を示すもので、ペンダントロープ４の一端部のピン継手具１３ａを、ピン孔１９が上下方向に向くように配置して、該ピン継手具１３ａの二又の間に固定ピン１８を差し通すようにし、更に、ピン孔１９に継手ピン２６を差し込むようにしたものである。
【００２１】
図２に示すようにすると、固定ピン１８又は継手ピン２６の着脱により、ペンダントロープ４の固定及び解除を行うことができると共に、継手ピン２６を他所に保管しておかなくても済むという利点がある。
【００２２】
なお、ブラケット１７の対峙間隔及び固定ピン１８の長さは、使用するペンダントロープ４の本数に合わせて任意に選定し得ること、又、実施の形態では、固定ピン１８の両端部にリングピン２３を差し込むようにした場合を示したが、いずれか一端部のみとして他端部はフランジ状等の頭部としてもよいこと、更に、固定ピン１８の抜け止めとしては、リングピン２３に限らず、通常のピンを用いるようにしてもよいこと、その他本発明の要旨を逸脱しない範囲内において種々変更を加え得ることは勿論である。
【００２３】
【発明の効果】
以上述べた如く、本発明の移動式クレーンのペンダントロープ固定装置によれば、次の如き優れた効果を発揮する。
（１）インナーブームとアウターブームの間に着脱可能に配置するようにしてあるインサートブームの背面側の長手方向端部位置におけるブーム左右幅方向に固定ピンを備え、ペンダントロープ端のピン継手具に上記固定ピンを差し通してペンダントロープを固定できるようにした構成としてあるので、ペンダントロープ端のピン継手具に対し固定ピンを抜き差しするだけでペンダントロープの固定及び解除を行うことができ、これにより、固定及び解除作業を、多大な労力を要することなく効率よく簡単に行うことができ、且つ従来のように針金による固縛を行わないことから、固縛外れによるロープ落下やインサートブームの塗装を傷付けてしまうこともない。
（２）固定ピンを、ブーム左右幅方向に所要間隔を隔てて相対峙するように取り付けたブラケットに支持させて備えた構成とすることにより、装置構成を簡単なものとすることができる。
（３）ブラケットを、インサートブームを構成する水平連結材にＵボルトで取り付けるようにした構成とすることにより、既存のクレーンに容易に適用できるだけでなく取付位置を任意に選定することができる。
（４）固定ピンの抜け止めとして、固定ピンの両端部にリングピンを差し込むようにした構成とすることにより、固定ピンの抜く方向を選ばずに柔軟に作業を行うことができる。
【図面の簡単な説明】
【図１】本発明の移動式クレーンのペンダントロープ固定装置の実施の一形態を示すもので、（イ）は１つのインサートブームの概略平面図、（ロ）は（イ）のＡ−Ａ方向拡大矢視図、（ハ）は（ロ）のＢ−Ｂ方向矢視図である。
【図２】ペンダントロープの別の固定要領を示す図である。
【図３】移動式クレーンの一例を示す概略側面図である。
【符号の説明】
４　ペンダントロープ
９　インナーブーム
１０　アウターブーム
１１　インサートブーム
１７　ブラケット
１８　固定ピン
１９　ピン孔
２０　Ｕボルト
２３　リングピン
【図１】
2004035236.tif 000003
【図２】
2004035236.tif 000004
【図３】
2004035236.tif 000005